(57)【要約】      （修正有）【課題】構造が簡単で、かつ取付・取り外しが簡単で、確実にプロテクターを保持可能なプロテクター収納用カバー付ソックスを提供する。【解決手段】ソックス本体１と、着用者の脛部に相当する位置のソックス本体の内側上下にプロテクターＰの縦寸法と横幅寸法と板厚寸法に適合した所定寸法を有し、且つ、カバーの口部を上下内向きに対向させ、プロテクターの上下方向から包囲して固着可能に縫着して設けたプロテクター固定用カバー１ａ，１ｂから成り、且つ、プロテクター装着時は装着する足に適合するプロテクターの左右の向きと取付面をそれぞれ合わせ、且つ、プロテクター固定用カバーを上下方向から内向きに包囲するように被覆して固着するものである。【選択図】図３
0003148889.tif 000002
【実用新案登録請求の範囲】
【請求項１】
サッカー等のスポーツ用ソックスにおいて、該ソックスはソックス本体（１）と、着用者の脛部に相当する位置のソックス本体（１）の内側上下にプロテクター（Ｐ）の縦寸法（Ｌ）と横幅寸法（Ｗ）と板厚寸法（Ｔ）に適合した所定寸法を有し、且つ、カバーの口部を上下内向きに対向させ、プロテクター（Ｐ）の上下方向から包囲して固着可能に縫着して設けたプロテクター固定用カバー（１ａ）（１ｂ）から成り、且つ、プロテクター装着時は装着する足に適合するプロテクター（Ｐ）の左右の向きと取付面をそれぞれ合わせ、且つ、プロテクター固定用カバー（１ａ）（１ｂ）を上下方向から内向きに包囲するように被覆して固着する事を特徴とするプロテクター固定用カバー付ソックス。
【考案の詳細な説明】
【技術分野】
【０００１】
この考案は、プロテクター固定用カバー付ソックスに関するものである。
【背景技術】
【０００２】
従来、サッカーやホッケー等、激しく身体と身体を激突させるスポーツの殆んどが、レガースと呼ばれるプロテクターを付ける事が義務づけられている。しかし、現状ではソックスの内側に挿入して固定するだけで、激しい運動をすると左右・上下に移動して、最後には脱落する事が頻繁に起こる。又、運よく脱落しなくても競技に支障を来たし、傷害の原因にもなり兼ねない。
【０００３】
又、これまでに出願されているプロテクター固定用カバー付ソックスはカバーの形状や固定方法に問題があり、プロテクターを確実に固定できる物ではなく、脱落することがしばしば有り、問題が有った（特許文献１〜３参照）。
【特許文献１】特開２００１−００３２０２
【特許文献２】特開２００２−３０２８０４
【特許文献３】特開２００４−２８５５０５
【考案の開示】
【考案が解決しようとする課題】
【０００４】
そこで、上記課題を解決する為に、この考案は構造が簡単で、しかも取り付け・取り外しが簡単で、確実にプロテクターを保持可能なプロテクター固定用カバー付ソックスを開発・提供する事にある。
【課題を解決するための手段】
【０００５】
課題を解決するための手段として、ソックス本体と、着用者の脛部に相当する位置のソックス本体の内側上下にプロテクターの縦寸法と横幅寸法と板厚寸法に適合した所定寸法を有し、且つ、カバーの口部を上下内向きに対向させ、プロテクターの上下方向から包囲して固着可能に縫着して設けたプロテクター固定用カバーから成り、且つ、プロテクター装着時は装着する足に適合するプロテクターの左右の向きと取付面をそれぞれ合わせ、且つ、プロテクター固定用カバーを上下方向から内向きに包囲するように被覆して固着するものである。
【考案の効果】
【０００６】
本考案の効果として、ソックス本体と、着用者の脛部に相当する位置のソックス本体の内側上下にプロテクターの縦寸法と横幅寸法と板厚寸法に適合した所定寸法を有し、且つ、カバーの口部を上下内向きに対向させ、プロテクターの上下方向から包囲して固着可能に縫着して設けたプロテクター固定用カバーから成り、且つ、プロテクター装着時は装着する足に適合するプロテクターの左右の向きと取付面をそれぞれ合わせ、且つ、プロテクター固定用カバーを上下方向から内向きに包囲するように被覆して固着する事で、誰でも簡単に取り付けられ、しかも、確実に固定出来る為、安心してスポーツに専念出来る等、極めて有益なる効果を奏するものである。
【考案を実施するための最良の形態】
【０００７】
この考案の最良の形態として、プロテクター固定用カバーの大きさは、プロテクターの大きさ（縦寸法×横幅寸法×板厚寸法）に適合し、且つ、取り付け・取り外しが容易に出来る大きさの開口部を設ける事が重要である。
【実施例１】
【０００８】
そこで、この考案の一実施例を図１〜図４に基づいて詳述すると、サッカー等のスポーツ用ソックスにおいて、該ソックスはソックス本体（１）と、着用者の脛部に相当する位置のソックス本体（１）の内側上下にプロテクター（Ｐ）の縦寸法（Ｌ）と横幅寸法（Ｗ）と板厚寸法（Ｔ）に適合した所定寸法を有し、且つ、カバーの口部を上下内向きに対向させ、プロテクター（Ｐ）の上下方向から包囲して固着可能に縫着して設けたプロテクター固定用カバー（１ａ）（１ｂ）から成り、且つ、プロテクター装着時は装着する足に適合するプロテクター（Ｐ）の左右の向きと取付面をそれぞれ合わせ、且つ、プロテクター固定用カバー（１ａ）（１ｂ）を上下方向から内向きに包囲するように被覆して固着する事を特徴とするプロテクター固定用カバー付ソックスから構成される。
【０００９】
次に、この考案の詳細について説明すると、最初にプロテクター固定用カバー（１ａ）（１ｂ）について説明すると、図１に示す様にソックス本体の脛部に相当する位置に、プロテクター（Ｐ）の大きさに合わせた大きさ（縦寸法×横幅寸法×板厚寸法）のカバーをソックス内側上下にそれぞれ縫着して設け、該カバーは図２に示す様に、開口部を上下共それぞれ内向きに対向して設け、且つ、プロテクター（Ｐ）を装着時に容易に挿入可能な開口寸法に設けている。
【００１０】
図３はプロテクター（Ｐ）を装着状態時のソックス図面を示し、一部欠截裏面図である。
図面でも解るように、上下の固定用カバーに装着したプロテクター（Ｐ）は左右・上下が固定状態の為、激しい運動をしても脱落する心配は無い。かといって、取り外す時は固定用カバーの上下開口部を持って上下方向にそれぞれ広げて簡単にプロテクター（Ｐ）を取り出す事が可能である。
【００１１】
又、図４は図３のａ−ａ矢視断面拡大図である。
【００１２】
次に、この考案の使用方法について説明すると、通常のソックスと同様にソックスを履き、次にソックスの上端部を前方方向に引っ張って広げ、プロテクター（Ｐ）の左右の向きと取付面をそれぞれ合わせて、最初に下側のカバーに挿入し、そして次に上側カバーの開口部を引っ張って広げ、プロテクター上部に包囲して固定する。又、図５は使用者の足にプロテクターを装着したソックスを着用状態時の一部欠截左側面図である。
【産業上の利用可能性】
【００１３】
この考案のプロテクター固定用カバー付ソックスは、構造が簡単で、しかも取付・取り外しが簡単で、確実にプロテクターを保持可能な為、サッカー等の多くのスポーツ選手に寄与する為、産業上の利用可能性を有する。
【図面の簡単な説明】
【００１４】
【図１】この考案の一実施例を示し、プロテクター固定用カバー付ソックスの一部欠截裏面図である。
【図２】この考案の一実施例を示し、図１のａ−ａ矢視断面図である。
【図３】この考案の一実施例を示し、プロテクター固定用カバーにプロテクターを固定時の一部欠截裏面図である。
【図４】この考案の一実施例を示し、図３のａ−ａ矢視断面拡大図である。
【図５】この考案の使用例を示し、一部欠截左側面図である。
【符号の説明】
【００１５】
１  ソックス本体
１ａ  プロテクター固定用カバー（上側）
１ｂ  プロテクター固定用カバー（下側）
Ｌ  縦寸法
Ｐ  プロテクター
Ｔ  板厚寸法
Ｗ  横幅寸法
【図１】
0003148889.tif 000003
【図２】
0003148889.tif 000004
【図３】
0003148889.tif 000005
【図４】
0003148889.tif 000006
【図５】
0003148889.tif 000007